【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
サンプル実体を処理するためのシステムであって、前記システムは、第１の表面と前記第１の表面からオフセットされた第２の表面とを備えているチャンバを備え、前記第１および第２の表面は、サンプル実体を圧縮し扁平ポッドにするように構成され、
前記第１および第２の表面のうちの少なくとも１つは、光学的に透明な材料を備えている、システム。
【請求項２】
前記チャンバは、複数のサンプル実体を受け取るように構成された入口と、前記受け取られたサンプル実体のうちの少なくとも一部を放出するように構成された出口とを備えている、請求項１に記載のシステム。
【請求項３】
前記入口と前記出口との間に流体圧力差を生成するように構成された流体ポンプをさらに備えている、請求項２に記載のシステム。
【請求項４】
前記光学的に透明な材料は、ポリイミドを備えている、請求項１に記載のシステム。
【請求項５】
前記第１および第２の表面は、約２５μｍ未満だけオフセットされている、請求項１に記載のシステム。
【請求項６】
前記第１および第２の表面は、約５μｍだけオフセットされている、請求項５に記載のシステム。
【請求項７】
前記チャンバの少なくとも一部を捕捉するように配置された画像センサをさらに備えている、請求項１に記載のシステム。
【請求項８】
前記画像センサの焦点面は、前記チャンバの第１の表面および第２の表面のうちの１つと実質的に一致している、請求項７に記載のシステム。
【請求項９】
前記画像センサの焦点面は、前記チャンバの第１の表面と第２の表面との間に位置している、請求項７に記載のシステム。
【請求項１０】
前記画像センサは、光学画像センサである、請求項７に記載のシステム。
【請求項１１】
前記画像センサは、静止画像、ビデオ、または静止画像およびビデオの両方を捕捉するように構成されている、請求項１０に記載のシステム。
【請求項１２】
照明源をさらに備え、前記照明源と前記画像センサとは、前記チャンバの対向する表面上に配置されている、請求項７に記載のシステム。
【請求項１３】
前記画像センサによって提供される前記サンプル実体の画像に少なくとも部分的に基づいて前記サンプル実体の１つ以上の特性を測定するように構成された１つ以上のプロセッサをさらに備えている、請求項７に記載のシステム。
【請求項１４】
前記サンプル実体の前記１つ以上の特性は、前記サンプル実体のサイズを備えている、請求項１３に記載のシステム。
【請求項１５】
前記サンプル実体の前記１つ以上の特性は、前記サンプル実体の形状を備えている、請求項１３に記載のシステム。
【請求項１６】
前記サンプル実体の前記１つ以上の特性は、前記サンプル実体における集合を備えている、請求項１３に記載のシステム。
【請求項１７】
前記１つ以上のプロセッサは、前記サンプル実体の前記画像におけるピクセルグレースケール値に少なくとも部分的に基づいて集合を測定するように構成されている、請求項１６に記載のシステム。
【請求項１８】
前記１つ以上のプロセッサは、コンピュータビジョンを使用して前記サンプル実体の前記１つ以上の特性を測定するように構成されている、請求項１３に記載のシステム。
【請求項１９】
前記１つ以上のプロセッサは、前記サンプル実体に関連付けられた少なくとも１つの仮想タグを生成するように構成されている、請求項１３に記載のシステム。
【請求項２０】
前記チャンバは、前記チャンバ内において少なくとも２次元でサンプル実体の流動を収容するように構成された容積を画定する、請求項１に記載のシステム。
【手続補正２】
【補正対象書類名】明細書
【補正対象項目名】００１９
【補正方法】変更
【補正の内容】
【００１９】
さらに、システムは、チャンバの少なくとも一部を捕捉するように配置され、チャンバ内のサンプル実体のカメラベースの測定を可能にするための光学画像センサ等の画像センサを含み得る。例えば、いくつかの変形例では、画像センサの焦点面は、チャンバの第１の表面および第２の表面のうちの１つと実質的に一致する。別の例として、画像センサの焦点面は、チャンバの第１の表面と第２の表面との間に位置する。いくつかの変形例では、システムは、照明源をさらに含み得、照明源および画像センサは、チャンバの対向表面上に配置される。照明源は、例えば、チャンバ内のサンプル実体に対して背面照明を提供し、カメラベースの測定の品質を向上させ得る。
本願明細書は、例えば、以下の項目も提供する。
（項目１）
サンプル実体を処理するためのシステムであって、前記システムは、測定領域の配列を有する表面を備えているチャンバを備え、少なくとも１つの測定領域は、１つ以上の電極の第１の組と１つ以上の電極の第２の組とを備え、
前記電極の第１の組は、サンプル実体が前記電極の第１の組を横切っているときに前記サンプル実体の第１の特性を測定するように構成され、
前記電極の第２の組は、前記測定された第１の特性に少なくとも部分的に基づいて、前記少なくとも１つの測定領域において前記サンプル実体を選択的に保持するように構成されている、システム。
（項目２）
前記第１の特性は、前記サンプル実体の測定された二重層静電容量に少なくとも部分的に基づいて測定される、項目１に記載のシステム。
（項目３）
前記第１の特性は、前記サンプル実体のサイズおよび形状のうちの少なくとも１つを備えている、項目２に記載のシステム。
（項目４）
前記電極の第１の組のうちの少なくとも１つは、前記サンプル実体の直径より大きい、項目１に記載のシステム。
（項目５）
前記電極の第１の組は、走査距離によって分離された少なくとも２つの細長い電極を備えている、項目１に記載のシステム。
（項目６）
前記電極の第２の組のうちの少なくとも１つは、誘電泳動力を用いて前記サンプル実体を保持するように構成されている、項目１に記載のシステム。
（項目７）
前記電極の第２の組は、互いに組み合わせられた電極を備えている、項目１に記載のシステム。
（項目８）
前記電極の第１の組および前記電極の第２の組のうちの少なくとも１つは、前記サンプル実体の二重層静電容量と結合された前記サンプル実体の測定された電気インピーダンスに少なくとも部分的に基づいて、前記サンプル実体の第２の特性を測定するように構成されている、項目１に記載のシステム。
（項目９）
前記サンプル実体の第２の特性を測定するように構成された画像センサをさらに備えている、項目１に記載のシステム。
（項目１０）
前記測定領域の配列は、２次元グリッドを備えている、項目１に記載のシステム。
（項目１１）
前記システムは、多分散サンプル実体を処理するように構成されている、項目１に記載のシステム。
（項目１２）
前記チャンバは、第１の表面と第２の表面とを備え、前記第２の表面は、前記第１の表面と第２の表面との間のサンプル実体を圧縮しポッドにするように構成された間隙距離だけ前記第１の表面からオフセットされている、項目１に記載のシステム。
（項目１３）
少なくとも１つのサンプル実体を処理するためのシステムであって、前記システムは、測定領域の配列を備えているチャンバを備え、少なくとも１つの測定領域は、前記サンプル実体の直径より大きい少なくとも１つの電極を備え、
前記少なくとも１つの電極は、前記サンプル実体が前記少なくとも１つの電極を横切っているとき、前記サンプル実体の特性を測定するように構成されている、システム。
（項目１４）
前記少なくとも１つの測定領域は、走査距離によって分離された少なくとも２つの細長い電極を備えている、項目１３に記載のシステム。
（項目１５）
前記少なくとも１つの測定領域は、誘電泳動力を用いて前記サンプル実体を保持するように構成された少なくとも１つの電極を備えている、項目１３に記載のシステム。
（項目１６）
前記測定領域の配列は、２次元グリッドである、項目１３に記載のシステム。
（項目１７）
前記システムは、多分散サンプル実体を処理するように構成されている、項目１３に記載のシステム。
（項目１８）
前記チャンバは、第１の表面と第２の表面とを備え、前記第２の表面は、前記第１の表面と第２の表面との間のサンプル実体を圧縮しポッドにするように構成された間隙距離だけ前記第１の表面からオフセットされている、項目１３に記載のシステム。
（項目１９）
サンプル実体を処理する方法であって、前記方法は、
測定領域の配列を備えているチャンバにおいて複数のサンプル実体を受け取ることであって、少なくとも１つの測定領域は、複数の電極を備えている、ことと、
少なくとも１つのサンプル実体が前記電極の少なくとも一部を横切るとき、前記電極の前記一部を用いて前記サンプル実体の第１の特性を測定することと、
前記測定された第１の特性に少なくとも部分的に基づいて、前記少なくとも１つの測定領域において前記サンプル実体を保持することと、
を含む、方法。
（項目２０）
前記複数のサンプル実体を受け取ることは、少なくとも１つのサンプル実体を変形させ、前記サンプル実体と前記チャンバの表面との間の接触面積を増加させることを含む、項目１９に記載の方法。
（項目２１）
前記第１の特性を測定することは、前記電極の前記一部から前記サンプル実体に交流電流を送達することを含む、項目１９に記載の方法。
（項目２２）
前記第１の特性を測定することは、前記サンプル実体が前記電極の前記一部を横切るとき、前記電流を周期的に送達することを含む、項目２１に記載の方法。
（項目２３）
前記少なくとも１つの測定領域において前記サンプル実体を保持することは、前記電極の少なくとも一部を用いて誘電泳動力を生成することを含む、項目１９に記載の方法。
（項目２４）
前記保持されたサンプル実体の第２の特性を測定することをさらに含む、項目１９に記載の方法。
（項目２５）
前記第２の特性は、前記サンプル実体内の１つ以上の細胞の数、サイズ、形態、および分裂のうちの少なくとも１つに関する、項目２４に記載の方法。
（項目２６）
前記第２の特性は、前記サンプル実体内の凝集の程度に関する、項目２４に記載の方法。
（項目２７）
前記第２の特性を測定することは、交流電流を前記サンプル実体に送達し、前記サンプル実体の二重層静電容量と結合されたインピーダンスを測定することを含む、項目２４に記載の方法。
（項目２８）
前記サンプル実体に関連付けられた仮想タグを作成することをさらに含み、前記仮想タグは、少なくとも前記サンプル実体の第１の特性を備えている、項目１９に記載の方法。
（項目２９）
前記複数のサンプル実体を選別することをさらに含む、項目１９に記載の方法。
（項目３０）
選別することは、１つ以上の測定領域上で前記サンプル実体のうちの第１の部分を選択的に保持することを含む、項目２９に記載の方法。
（項目３１）
選別することは、流体流を前記チャンバの中に導入し、前記サンプル実体のうちの第１の部分と異なる前記サンプル実体のうちの第２の部分を操作することを含む、項目３０に記載の方法。
（項目３２）
前記複数のサンプル実体は、多分散である、項目１９に記載の方法。
（項目３３）
前記チャンバにおいて前記サンプル実体のうちの少なくとも１つを圧縮しポッドにすることをさらに含む、項目１９に記載の方法。
（項目３４）
サンプル実体を処理するためのシステムであって、前記システムは、第１の表面と前記第１の表面からオフセットされた第２の表面とを備えているチャンバを備え、前記第１および第２の表面は、サンプル実体を圧縮し扁平ポッドにするように構成され、
前記第１および第２の表面のうちの少なくとも１つは、光学的に透明な材料を備えている、システム。
（項目３５）
前記チャンバは、複数のサンプル実体を受け取るように構成された入口と、前記受け取られたサンプル実体のうちの少なくとも一部を放出するように構成された出口とを備えている、項目３４に記載のシステム。
（項目３６）
前記入口と前記出口との間に流体圧力差を生成するように構成された流体ポンプをさらに備えている、項目３５に記載のシステム。
（項目３７）
前記流体ポンプは、前記チャンバの出口に流体的に接続された真空ポンプである、項目３６に記載のシステム。
（項目３８）
少なくとも１つの電極を備えている測定領域の配列をさらに備えている、項目３６に記載のシステム。
（項目３９）
前記第１の表面は、前記測定領域の配列を備えている回路基板を備え、前記第２の表面は、前記光学的に透明な材料を備えている、項目３８に記載のシステム。
（項目４０）
前記回路基板は、フレキシブル回路基板である、項目３８に記載のシステム。
（項目４１）
前記光学的に透明な材料は、ガラスを備えている、項目３４に記載のシステム。
（項目４２）
前記第１および第２の表面は、約２５μｍ未満だけオフセットされている、項目３４に記載のシステム。
（項目４３）
前記第１および第２の表面は、約５μｍだけオフセットされている、項目４２に記載のシステム。
（項目４４）
前記チャンバの少なくとも一部を捕捉するように配置された画像センサをさらに備えている、項目３４に記載のシステム。
（項目４５）
前記画像センサの焦点面は、前記チャンバの第１の表面および第２の表面のうちの１つと実質的に一致している、項目４４に記載のシステム。
（項目４６）
前記画像センサの焦点面は、前記チャンバの第１の表面と第２の表面との間に位置している、項目４４に記載のシステム。
（項目４７）
前記画像センサは、光学画像センサである、項目４４に記載のシステム。
（項目４８）
照明源をさらに備え、前記照明源と前記画像センサとは、前記チャンバの対向する表面上に配置されている、項目３４に記載のシステム。